(57)【特許請求の範囲】
【請求項１】
両面に記録できるディスクが内部に回転自在に収納され、表裏両面から前記ディスクへの記録又は消去が可能なケースと、このケースの表面と裏面のそれぞれに開口する検出孔を有し、この両面の検出孔をそれぞれ開閉するべく表面側開閉部材及び裏面側開閉部材を記録・消去可能位置と記録・消去禁止位置との間で移動自在に設けた誤消去防止切換機構とを備えたディスクカートリッジにおいて、
前記表面側開閉部材及び前記裏面側開閉部材はそれぞれ操作部を有し、この双方の操作部は上下に並んだ位置で前記ケースの背面に開口された操作用開口部より外部に共に露出され、前記双方の操作部における記録・消去可能位置と記録・消去禁止位置とになる操作位置が左右方向で同じ位置に設定されたことを特徴とするディスクカートリッジ。
【請求項２】
前記請求項１に記載のディスクカートリッジにおいて、
前記操作用開口部は、前記ケースの表面と裏面にまで延びて開口され、この表面と裏面の各開口箇所にまで前記各操作部の一端側が延設されていることを特徴とするディスクカートリッジ。
【請求項３】
両面に記録できるディスクが内部に回転自在に収納され、表裏両面から前記ディスクへの記録又は消去が可能なケースと、このケースの表面と裏面のそれぞれに開口する検出孔を有し、この両面の検出孔をそれぞれ開閉するべく表面側開閉部材及び裏面側開閉部材を記録・消去可能位置と記録・消去禁止位置との間で移動自在に設けた誤消去防止切換機構とを備えたディスクカートリッジにおいて、
前記表面側開閉部材及び前記裏面側開閉部材はそれぞれ操作部を有し、この双方の操作部は前記ケースの表面及び裏面にそれぞれ開口された操作用開口部より外部に共に露出されると共に、前記誤消去防止切換機構には前記ケースの背面に開口された操作用開口部より外部に露出する共通操作部を有する共通開閉部材を設け、この共通開閉部材は中立位置を中間として一方側の共通記録・消去可能位置と他方側の共通記録・消去禁止位置との間で移動自在に設けられ、前記共通開閉部材の中立位置では前記表面側開閉部材及び前記裏面側開閉部材の記録・消去可能位置と記録・消去禁止位置間の移動をそれぞれ許容し、前記共通開閉部材の中立位置から共通記録・消去可能位置への移動によって前記表面側開閉部材及び前記裏面側開閉部材を共に記録・消去可能位置に位置させ、前記共通開閉部材の中立位置から共通記録・消去禁止位置への移動によって前記表面側開閉部材及び前記裏面側開閉部材を共に記録・消去禁止位置に位置させることを特徴とするディスクカートリッジ。
【請求項４】
両面に記録できるディスクが内部に回転自在に収納され、表裏両面から前記ディスクへの記録又は消去が可能なケースと、このケースの表面と裏面のそれぞれに開口する検出孔を有し、この両面の検出孔をそれぞれ開閉するべく表面側開閉部材及び裏面側開閉部材を記録・消去可能位置と記録・消去禁止位置との間で移動自在に設けた誤消去防止切換機構とを備えたディスクカートリッジにおいて、
前記表面側開閉部材及び前記裏面側開閉部材はそれぞれ操作部を有し、この双方の操作部は前記ケースの表面及び裏面にそれぞれ開口された操作用開口部より外部に共に露出されると共に、前記誤消去防止切換機構には前記ケースの背面に開口された操作用開口部より外部に露出する共通操作部を有する共通開閉部材を設け、この共通開閉部材は中立位置と共通記録・消去禁止位置との間でのみ移動自在に設けられ、前記共通開閉部材の中立位置では前記表面側開閉部材及び前記裏面側開閉部材の記録・消去可能位置と記録・消去禁止位置間の移動をそれぞれ許容し、前記共通開閉部材の中立位置から共通記録・消去禁止位置への移動によって前記表面側開閉部材及び前記裏面側開閉部材を共に記録・消去禁止位置に位置させることを特徴とするディスクカートリッジ。
【発明の詳細な説明】
【０００１】
【発明の属する技術分野】
本発明は、ケース内に両面ディスクを収納したディスクカートリッジに関し、その誤消去防止切換機構に係わる。
【０００２】
【従来の技術】
従来から、光ディスク、磁気ディスク等は、埃や塵、傷、汚れを防ぎ、記録や再生の信頼性を保障するために、ケース内にディスクを収納するカートリッジ形式で用いられてきた。そして、このケースには、ディスクに記録済みの情報を誤って消去したり、書き換えたりしないように、誤消去防止切換機構が設けられている。近年、ディスクに要求される記録容量が大きくなるに伴い、ディスクの両面に記録する両面ディスクが用いられる。この両面ディスクのディスクカートリッジにおいても、ディスクに記録済みの情報を保護するために誤消去防止切換機構が設けられている。
【０００３】
かかる誤消去防止切換機構の第１従来例としては、ケースの表面と裏面とにそれぞれ記録又は消去の可否を検出するための検出孔が設けられ、この各検出孔を別個にそれぞれ開閉する表面側開閉部材及び裏面側開閉部材が設けられている。そして、この表面側開閉部材及び裏面側開閉部材を別々に操作することによって両面の検出孔を別々にそれぞれ開閉できるものである。
【０００４】
又、第２従来例としては、図１６及び図１７に示す特開平７−２７２３９２号公報に開示されたものがある。図１６及び図１７において、ケース５０の表面と裏面とにそれぞれ記録又は消去の可否を検出するための検出孔５１，５２が設けられ、この各検出孔５１，５２を開閉できる単一の開閉部材５３がケース５０内にスライド自在に設けられている。この開閉部材５３の操作部５３ａはケース５０の背面の開口部５４より露出されている。操作部５３ａを操作することによって開閉部材５３がスライドして両面の検出孔５１，５２を同時に開閉できる。つまり、両面の検出孔５１，５２が共に閉じ、又は共に開く位置に位置されるものである。
【０００５】
ところで、誤消去防止切換機構には以下のような要求がある。第１としてディスク両面に跨がって長時間（大量）の情報を記録した場合には、両面の検出孔を一操作で同時に記録・消去禁止に切り換えできることである。第２としてディスク両面に同時記録するシステムに使用する場合には、両面の検出孔を一操作で同時に記録・消去禁止に切り換えできることである。第３として安全を期するため、記録・消去禁止に切り換えるときには、両面の検出孔を一操作で同時に切り換え、記録済みの情報を消去したり書き換えたりするときには、記録・消去可能状態に片面ずつ確かめながら切り換えできることである。第４として、もちろん、片面ずつ別々に記録・消去禁止状態と記録・消去可能状態とに切り換えできることである。
【０００６】
【発明が解決しようとする課題】
しかしながら、前記第１従来例では、両面の検出孔を一操作で開閉できないため、第１〜第３の要求に応えることができない。又、前記第２従来例では、両面の検出孔を一操作で開閉できるが、両面の検出孔を同じ開閉状態にしかできないため、第３及び第４の要求に応えることができない。
【０００７】
そこで、本発明は、前記した課題を解決すべくなされたものであり、上記第１〜第４の要求を満たすべく、両面を同じ記録・消去禁止状態又は記録・消去可能状態に一操作で同時に切り換え操作でき、且つ、片面ずつ別々に記録・消去禁止状態又は記録・消去可能状態に切り換え操作できる誤消去防止切換機構を備えたディスクカートリッジを提供することを目的とする。
【０００８】
又、本発明は、上記第１〜第４の要求を満たすべく、両面を同じ記録・消去禁止状態に一操作で同時に切り換え操作でき、且つ、片面ずつ別々に記録・消去禁止状態又は記録・消去可能状態に切り換え操作できると共に、両面を同じ記録・消去可能状態に一操作で同時に切り換え操作できない誤消去防止切換機構を備えたディスクカートリッジを提供することを目的とする。
【０００９】
【課題を解決するための手段】
請求項１の発明は、両面に記録できるディスクが内部に回転自在に収納され、表裏両面から前記ディスクへの記録又は消去が可能なケースと、このケースの表面と裏面のそれぞれに開口する検出孔を有し、この両面の検出孔をそれぞれ開閉するべく表面側開閉部材及び裏面側開閉部材を記録・消去可能位置と記録・消去禁止位置との間で移動自在に設けた誤消去防止切換機構とを備えたディスクカートリッジにおいて、前記表面側開閉部材及び前記裏面側開閉部材はそれぞれ操作部を有し、この双方の操作部は上下に並んだ位置で前記ケースの背面に開口された操作用開口部より外部に共に露出され、前記双方の操作部における記録・消去可能位置と記録・消去禁止位置とになる操作位置が左右方向で同じ位置に設定されたことを特徴とする。
【００１０】
請求項２の発明は、前記請求項１に記載のディスクカートリッジにおいて、前記操作用開口部は、前記ケースの表面と裏面にまで延びて開口され、この表面と裏面の各開口箇所にまで前記各操作部の一端側が延設されていることを特徴とする。
【００１１】
請求項３の発明は、両面に記録できるディスクが内部に回転自在に収納され、表裏両面から前記ディスクへの記録又は消去が可能なケースと、このケースの表面と裏面のそれぞれに開口する検出孔を有し、この両面の検出孔をそれぞれ開閉するべく表面側開閉部材及び裏面側開閉部材を記録・消去可能位置と記録・消去禁止位置との間で移動自在に設けた誤消去防止切換機構とを備えたディスクカートリッジにおいて、前記表面側開閉部材及び前記裏面側開閉部材はそれぞれ操作部を有し、この双方の操作部は前記ケースの表面及び裏面にそれぞれ開口された操作用開口部より外部に共に露出されると共に、前記誤消去防止切換機構には前記ケースの背面に開口された操作用開口部より外部に露出する共通操作部を有する共通開閉部材を設け、この共通開閉部材は中立位置を中間として一方側の共通記録・消去可能位置と他方側の共通記録・消去禁止位置との間で移動自在に設けられ、前記共通開閉部材の中立位置では前記表面側開閉部材及び前記裏面側開閉部材の記録・消去可能位置と記録・消去禁止位置間の移動をそれぞれ許容し、前記共通開閉部材の中立位置から共通記録・消去可能位置への移動によって前記表面側開閉部材及び前記裏面側開閉部材を共に記録・消去可能位置に位置させ、前記共通開閉部材の中立位置から共通記録・消去禁止位置への移動によって前記表面側開閉部材及び前記裏面側開閉部材を共に記録・消去禁止位置に位置させることを特徴とする。
【００１２】
請求項４の発明は、両面に記録できるディスクが内部に回転自在に収納され、表裏両面から前記ディスクへの記録又は消去が可能なケースと、このケースの表面と裏面のそれぞれに開口する検出孔を有し、この両面の検出孔をそれぞれ開閉するべく表面側開閉部材及び裏面側開閉部材を記録・消去可能位置と記録・消去禁止位置との間で移動自在に設けた誤消去防止切換機構とを備えたディスクカートリッジにおいて、前記表面側開閉部材及び前記裏面側開閉部材はそれぞれ操作部を有し、この双方の操作部は前記ケースの裏面及び表面にそれぞれ開口された操作用開口部より外部に共に露出されると共に、前記誤消去防止切換機構には前記ケースの背面に開口された操作用開口部より外部に露出する共通操作部を有する共通開閉部材を設け、この共通開閉部材は中立位置と共通記録・消去禁止位置との間でのみ移動自在に設けられ、前記共通開閉部材の中立位置では前記表面側開閉部材及び前記裏面側開閉部材の記録・消去可能位置と記録・消去禁止位置間の移動をそれぞれ許容し、前記共通開閉部材の中立位置から共通記録・消去禁止位置への移動によって前記表面側開閉部材及び前記裏面側開閉部材を共に記録・消去禁止位置に位置させることを特徴とする。
【００１３】
【発明の実施の形態】
以下、本発明の実施形態を図面に基づいて説明する。
【００１４】
図１〜図４は本発明の第１実施形態を示し、図１はディスクカートリッジの斜視図、図２（Ａ）は誤消去防止切換機構が記録・消去可能位置であるディスクカートリッジの横断面図、図２（Ｂ）は誤消去防止切換機構が記録・消去可能位置であるディスクカートリッジの縦断面図、図２（Ｃ）は表面側開閉部材と裏面側開閉部材の拡大斜視図、図３（Ａ）は誤消去防止切換機構が記録・消去禁止位置であるディスクカートリッジの横断面図、図３（Ｂ）は誤消去防止切換機構が記録・消去禁止位置であるディスクカートリッジの縦断面図、図４（Ａ）は誤消去防止切換機構がディスクＡ面で記録・消去可能、ディスクＢ面で記録・消去禁止位置であるディスクカートリッジの横断面図、図４（Ｂ）は誤消去防止切換機構がディスクＡ面で記録・消去可能、ディスクＢ面で記録・消去禁止位置であるディスクカートリッジの縦断面図である。
【００１５】
図１において、ディスクカートリッジ１は、ディスク２と、このディスク２を収納する偏平方形状のケース３と、このケース３に装着されたシャッタ４とから主に構成されている。
【００１６】
ディスク２は、両面が記録・再生面として構成された両面ディスクであり、通常は表面（Ａ面）を下にしてケース３に収納される。
【００１７】
ケース３は下側ケース部材（特に符号を付さず）と上側ケース部材（特に符号を付さず）とが互いの接合面で突合わされた状態で接合され、ケース３の表面３ａと裏面３ｂとには開口部５がそれぞれ開口されている。この開口部５は、ディスク２にアクセスして情報を記録・再生するヘッド（ピックアップ）が挿入されるヘッド用開口部分と、ディスク２を回転駆動する駆動軸（ターンテーブル）が挿入される駆動用開口部分とから成る。このケース３の表面３ａと裏面３ｂとは、表裏面を表す識別マーク（図示せず）等を除いて同形状に設けられており、表面３ａと裏面３ｂの両面から使用できるように構成されている。
【００１８】
シャッタ４は、ケース３の表面３ａに当接する上面部（特に符号を付さず）と、ケース３の裏面３ｂに当接する下面部（特に符号を付さず）と、これらを連結し、ケース３の前面３ｃに略当接する前面部（特に符号を付さず）とから構成されており、開口部５を塞ぐ閉位置（図１の位置）と開口部５を解放する開位置との間で両方向にスライド自在に設けられている。シャッタ４の両側には、一対のバネ（図示せず）が掛止され、この一対のバネによって閉位置側に付勢されている。
【００１９】
又、ディスクカートリッジ１には誤消去防止切換機構１０が備えられている。この誤消去防止切換機構１０は、図２〜図４に示すように、ケース３の表面３ａと裏面３ｂとにそれぞれ開口する検出孔１１，１２を有する。ケース３の表面３ａの検出孔１１はディスク２の裏面（Ｂ面）用であり、ケース３の裏面３ｂの検出孔１２はディスク２の表面（Ａ面）用である。そして、検出孔１２は表面側開閉部材１３によって開閉され、検出孔１１は裏面側開閉部材１４とによって開閉されている。また、表面側開閉部材１３と裏面側開閉部材１４は、ケース３の背面壁１５とこの背面壁１５に近接して平行に配置された内側壁部１６との間のスライドスペースで左右方向にスライド自在に配置されている。表面側開閉部材１３はその一端側にスライドスペースと略同一寸法の厚みの閉塞部１３ａを有し、この閉塞部１３ａの箇所以外はスライドスペースの略半分の厚みで上方位置に配置されている。裏面側開閉部材１４はその一端側にスライドスペースと略同一寸法の厚みの閉塞部１４ａを有し、この閉塞部１４ａの箇所以外はスライドスペースの略半分の厚みで下方位置に配置されている。
【００２０】
表面側開閉部材１３と裏面側開閉部材１４との各閉塞部１３ａ，１４ａには貫通孔１７，１８がそれぞれ形成されている。この各貫通孔１７，１８が検出孔１２，１１の位置に一致する記録・消去禁止位置（図３（Ａ），（Ｂ）の位置）と、各貫通孔１７，１８が検出孔１２，１１の位置に一致せずに各閉塞部１３ａ，１４ａが各検出孔１２，１１を塞ぐ記録・消去可能位置（図２（Ａ），（Ｂ）の位置）との間で、表面側開閉部材１３と裏面側開閉部材１４とが別々にスライド自在となっている。表面側開閉部材１３と裏面側開閉部材１４との各他端側には、弾性部１３ｂ，１４ｂを介して突起部１３ｃ，１４ｃがそれぞれ設けられている。内側壁部１６の左右位置には各突起部１３ｃ，１４ｃが嵌まり込む凹部１９，２０がそれぞれ２カ所設けられており、記録・消去可能位置と記録・消去禁止位置とで各突起部１３ｃ，１４ｃが嵌まり込むことによって表面側開閉部材１３と裏面側開閉部材１４とはそれぞれその位置を保持するように構成されている。
【００２１】
又、表面側開閉部材１３と裏面側開閉部材１４とにはそれぞれ操作部１３ｄ，１４ｄがケース３の背面３ｄ側に突出して設けられ、この双方の操作部１３ｄ，１４ｄは上下に並んだ位置でケース３の背面３ｄに開口された操作用開口部２１より外部に共に露出されている。そして、双方の操作部１３ｄ，１４ｄにおける記録・消去可能位置と記録・消去禁止位置との操作位置が左右方向で同じ位置になるように設定されている。
【００２２】
次に、上記ディスクカートリッジ１の誤消去防止切換機構１０の作用を説明する。図２の記録・消去可能位置にあって、操作者が双方の操作部１３ｄ，１４ｄを共に例えば指で図２（Ａ），（Ｂ）の矢印Ｎ方向に押圧すると、表面側開閉部材１３と裏面側開閉部材１４が共にスライドして、各貫通孔１７，１８が検出孔１２，１１の位置に一致する記録・消去禁止位置（図３（Ａ），（Ｂ）の位置）に移動する。反対に、図３の記録・消去禁止位置にあって、操作者が双方の操作部１３ｄ，１４ｄを共に例えば指で図３（Ａ），（Ｂ）の矢印Ｍ方向に押圧すると、表面側開閉部材１３と裏面側開閉部材１４が共にスライドして、各閉塞部１３ａ，１４ａが各検出孔１２，１１を塞ぐ記録・消去可能位置（図２（Ａ），（Ｂ）の位置）に移動する。
【００２３】
又、図２の記録・消去可能位置にあって、操作者が下方の操作部１４ｄのみを例えば指で図２（Ａ），（Ｂ）の矢印Ｎ方向に押圧すると、裏面側開閉部材１４のみがスライドして貫通孔１８が検出孔１１の位置に一致する記録・消去禁止位置に移動し、図４に示すディスクＡ面で記録・消去可能、ディスクＢ面で記録・消去禁止位置となる。反対に、図３の記録・消去禁止位置にあって、操作者が上方の操作部１３ｄのみを例えば指で図３（Ａ），（Ｂ）の矢印Ｍ方向に押圧すると、表面側開閉部材１３のみがスライドして閉塞部１３ａが検出孔１２を塞ぐ記録・消去可能位置に移動し、図４に示すディスクＡ面で記録・消去可能、ディスクＢ面で記録・消去禁止位置となる。又、ディスクＡ面で記録・消去禁止、ディスクＢ面で記録・消去可能位置とする場合には上記と逆の操作を行えば良い。
【００２４】
以上より、表面側開閉部材１３及び裏面側開閉部材１４は、双方の操作部１３ｄ，１４ｄを同時に操作できるため、両面を同じ記録・消去禁止状態又は記録・消去可能状態に一操作で同時に切り換え操作でき、又、各操作部１３ｄ，１４ｄを別々に操作できるため、片面ずつ別々に記録・消去禁止状態又は記録・消去可能状態に切り換え操作できる。従って、第１としてディスク両面に跨がって長時間（大量）の情報を記録した場合には、両面の検出孔１１，１２を一操作で同時に記録・消去禁止に切り換えできること、第２としてディスク両面に同時記録するシステムに使用する場合には、両面の検出孔１１，１２を一操作で同時に記録・消去禁止に切り換えできること、第３として安全を期するため、記録・消去禁止に切り換えるときには、両面の検出孔１１，１２を一操作で同時に切り換え、記録済みの情報を消去したり書き換えたりするときには、記録・消去可能状態に片面ずつ確かめながら切り換えできること、第４として、片面ずつ別々に記録・消去禁止状態と記録・消去可能状態とに切り換えできることの４つの要求全てに対応できる。
【００２５】
図５及び図６は本発明の第２実施形態を示し、図５はディスクカートリッジ１Ａの斜視図、図６（Ａ）は誤消去防止切換機構１０Ａが記録・消去可能位置であるディスクカートリッジの横断面図、図６（Ｂ）は誤消去防止切換機構が記録・消去可能位置であるディスクカートリッジの縦断面図である。
【００２６】
図５及び図６において、この第２実施形態にあって前記第１実施形態と比較して同一構成箇所については図面に同一符号を付してその説明を省略し、異なる構成箇所のみを説明する。
【００２７】
即ち、ケース３の背面３ｄに開口された操作用開口部２１Ａは、ケース３の表面３ａと裏面３ｂにまで延びて開口されており、この表面３ａと裏面３ｂの各開口箇所にまで各操作部１３ｄ，１４ｄの一端側が延設されている。つまり上方に位置する表面側開閉部材１３の操作部１３ｄは上方に延設され、その上面はケース３の上面３ａとほぼ同一面とされている。下方に位置する裏面側開閉部材１４の操作部１４ｄは下方に延設され、その下面はケース３の下面３ｂとほぼ同一面とされている。
【００２８】
この第２実施形態においても前記第１実施形態と同様に、双方の操作部１３ｄ，１４ｄを同時に操作できるため、両面を同じ記録・消去禁止状態又は記録・消去可能状態に一操作で同時に切り換え操作でき、又、各操作部１３ｄ，１４ｄを別々に操作できるため、片面ずつ別々に記録・消去禁止状態又は記録・消去可能状態に切り換え操作できる。
【００２９】
その上、この第２実施形態ではディスクカートリッジ１Ａの厚さが薄く設定されても、操作するのに十分な幅の操作部１３ｄ，１４ｄを確保できる。又、ケース３の表面３ａ側から操作部１３ｄを、ケース３の裏面３ｂ側から操作部１４ｄをそれぞれ操作できるため、各操作部１３ｄ，１４ｄを別々に操作する場合の操作が確実になり、又、操作自由度が広がる。
【００３０】
図７〜図１２は本発明の第３実施形態を示し、図７はディスクカートリッジの斜視図、図８（Ａ）は誤消去防止切換機構が両面共に記録・消去可能位置であるディスクカートリッジの横断面図、図８（Ｂ）は誤消去防止切換機構が両面共に記録・消去可能位置であるディスクカートリッジの縦断面図、図９は共通開閉部材と表面側開閉部材及び裏面側開閉部材との拡大斜視図、図１０（Ａ）は共通開閉部材が中立位置で、表面側開閉部材及び裏面側開閉部材が記録・消去可能位置であるディスクカートリッジの横断面図、図１０（Ｂ）は共通開閉部材が中立位置で、表面側開閉部材及び裏面側開閉部材が記録・消去可能位置であるディスクカートリッジの縦断面図、図１０（Ｃ）は共通開閉部材が共通記録・消去可能位置であるディスクカートリッジの横断面図、図１０（Ｄ）は共通開閉部材が共通記録・消去可能位置であるディスクカートリッジの縦断面図、図１１（Ａ）は共通開閉部材が共通記録・消去禁止位置であるディスクカートリッジの横断面図、図１１（Ｂ）は共通開閉部材が共通記録・消去禁止位置であるディスクカートリッジの縦断面図、図１１（Ｃ）は共通開閉部材が中立位置で、表面側開閉部材及び裏面側開閉部材が記録・消去禁止位置であるディスクカートリッジの横断面図、図１１（Ｄ）は共通開閉部材が中立位置で、表面側開閉部材及び裏面側開閉部材が記録・消去禁止位置であるディスクカートリッジの縦断面図、図１２（Ａ）は共通開閉部材が中立位置で、表面側開閉部材が記録・消去可能位置（ディスクＡ面で記録・消去可能）、裏面側開閉部材が記録・消去禁止位置（ディスクＢ面で記録・消去禁止）であるディスクカートリッジの横断面図、図１２（Ｂ）は共通開閉部材が中立位置で、表面側開閉部材が記録・消去可能位置（ディスクＡ面で記録・消去可能）、裏面側開閉部材が記録・消去禁止位置（ディスクＢ面で記録・消去禁止）であるディスクカートリッジの縦断面図である。
【００３１】
図７〜図１２において、この第３実施形態のディスクカートリッジ１Ｂにあって前記第１実施形態のディスクカートリッジ１と比較して誤消去防止切換機構の構成のみが異なり、他の構成箇所は同一であり、同一構成箇所については図面に同一符号を付してその説明を省略し、異なる構成箇所のみを説明する。
【００３２】
即ち、誤消去防止切換機構１０Ｂは、ケース３の表面３ａと裏面３ｂとにそれぞれ開口する検出孔１１，１２を有する。ケース３の表面３ａの検出孔１１はディスク２の裏面（Ｂ面）用であり、ケース３の裏面３ｂの検出孔１２はディスク２の表面（Ａ面）用である。そして、検出孔１２は短尺状の表面側開閉部材３０によって開閉され、検出孔１１は短尺状の裏面側開閉部材３１とによって開閉される。表面側開閉部材３０と裏面側開閉部材３１は、ケース３の背面壁１５に近接して平行に配置された内側壁部３２とこの内側壁部３２より更に奥の位置で平行に配置された左右位置の最内側壁部３３との間のスライドスペースで左右方向にスライド自在に配置されている。
【００３３】
表面側開閉部材３０と裏面側開閉部材３１の各検出孔１２，１１に対応する面には孔３４，３５がそれぞれ形成されている。この各孔３４，３５が検出孔１１，１２の位置に一致する記録・消去禁止位置（図１１（Ａ）〜（Ｄ）の位置）と、各孔３４，３５が検出孔１１，１２の位置に一致せずに各検出孔１１，１２を塞ぐ記録・消去可能位置（図１０（Ａ）〜（Ｄ）の位置）との間で、表面側開閉部材３０と裏面側開閉部材３１とが別々にスライド自在となっている。表面側開閉部材３０と裏面側開閉部材３１には弾性部３０ｂ，３１ｂを介して突起部３０ｃ，３１ｃがそれぞれ設けられている。左右位置の各最内側壁部３３には各突起部３０ｃ，３１ｃが嵌まり込む凹部３６，３７がそれぞれ２カ所設けられており、記録・消去可能位置と記録・消去禁止位置とで各突起部３０ｃ，３１ｃが嵌まり込むことによって表面側開閉部材３０と裏面側開閉部材３１とはそれぞれその位置を保持するように構成されている。
【００３４】
又、表面側開閉部材３０と裏面側開閉部材３１の各検出孔１２，１１に対応しない反対面にはそれぞれ操作部３０ｄ，３１ｄが突出して設けられ、この双方の操作部３０ｄ，３１ｄはケース３の表面３ａと裏面３ｂに開口された操作用開口部３８，３９よりそれぞれ外部に露出されている。そして、各操作部３０ｄ，３１ｄを操作することによって表面側開閉部材３０と裏面側開閉部材３１とを記録・消去可能位置と記録・消去禁止位置との間を別個独立にスライド移動させることができる。
【００３５】
また、誤消去防止切換機構１０Ｂにはケース３の幅寸法より少し短い程度の長尺状の共通開閉部材４０が設けられ、この共通開閉部材４０はケース３の背面壁１５とこの背面壁１５に近接して平行に配置された内側壁部３２との間のスライドスペースで左右方向にスライド自在に配置されている。共通開閉部材４０の左右方向の略中央位置には共通操作部４０ａがケース３の背面３ｄ側に突出して設けられ、この共通操作部４０ａはケース３の背面３ｄ側に開口された操作用開口部４１より外部に露出されている。そして、共通操作部４０ａを操作することによって共通開閉部材４０を中立位置（図８（Ａ），（Ｂ）の位置）を中間として一方側（図８（Ａ），（Ｂ）のＭ方向）の共通記録・消去可能位置（図１０（Ｃ），（Ｄ）の位置）と他方側（図８（Ａ），（Ｂ）のＮ方向）の共通記録・消去禁止位置（図１１（Ａ），（Ｂ）の位置）との間でスライド移動させることができる。
【００３６】
又、共通開閉部材４０の左右の両側には一定の間隔を置いて配置された外押圧部４０ｂ，４０ｃ及び内押圧部４０ｄ，４０ｅの組がそれぞれ左右対称に設けられており、この外押圧部４０ｂ，４０ｃ及び内押圧部４０ｄ，４０ｅは内側壁部３２の切欠部（特に符号を付けず）より前記表面側開閉部材３０と前記裏面側開閉部材３１とがそれぞれスライドするスライドスペースに延びている。外押圧部４０ｂと内押圧部４０ｄとの間に表面側開閉部材３０が、外押圧部４０ｃと内押圧部４０ｅとの間裏面側開閉部材３１が記録・消去可能位置と記録・禁止位置とをスライド可能にそれぞれ配置されている。
【００３７】
そして、共通開閉部材４０の中立位置（図８（Ａ），（Ｂ）の位置）では、表面側開閉部材３０及び裏面側開閉部材３１の記録・消去可能位置と記録・消去禁止位置間の移動を共に許容する。共通開閉部材４０が中立位置から共通記録・消去可能位置にスライド移動されると、表面側開閉部材３０及び裏面側開閉部材３１が記録・消去可能位置に位置しないときには内押圧部４０ｄ及び外押圧部４０ｃが表面側開閉部材３０及び裏面側開閉部材３１を押圧して共に記録・消去可能位置に強制的に位置させる。共通開閉部材４０が中立位置から共通記録・消去禁止位置にスライド移動されると、表面側開閉部材３０及び裏面側開閉部材３１が記録・消去禁止位置に位置しないときには外押圧部４０ｂ及び内押圧部４０ｅが表面側開閉部材３０及び裏面側開閉部材３１を押圧して共に記録・消去禁止位置に強制的に位置させる。つまり、共通開閉部材４０の中立位置から共通記録・消去可能位置への移動によって表面側開閉部材３０及び裏面側開閉部材３１が共に記録・消去可能位置に位置され、共通開閉部材４０の中立位置から共通記録・消去禁止位置への移動によって表面側開閉部材３０及び裏面側開閉部材３１を共に記録・消去禁止位置に位置される。
【００３８】
又、ケース３内の背面側の両側端部にはバネ保持部４２，４２がそれぞれ固定され、この各バネ保持部４２，４２には捩じりコイルバネ４３，４４がそれぞれ装着されている。この各捩じりコイルバネ４３，４４の一方の腕部の先端（特に、符号を付さず）はケース３に固定され、他方の腕部（特に、符号を付さず）は共通開閉部材４０の両側の外押圧部４０ｂ，４０ｃの各外面側にそれぞれ配置されていると共に最内側壁部３３のストッパ部４５（図１０（Ｃ），図１１（Ａ）に示す）によってバネ作用領域が規制されている。つまり、共通開閉部材４０が中立位置から共通記録・消去禁止位置又は共通記録・消去可能位置にスライド移動すると、スライド移動とは反対側の捩じりコイルバネ４３，４４の撓みがストッパ部４５で規制され、スライド移動側の捩じりコイルバネ４４，４３のみがバネエネルギーを蓄える方向に撓んで共通開閉部材４０を中立位置に戻す方向に付勢する。従って、共通開閉部材４０は操作者が共通操作部４０ａを操作して共通記録・消去禁止位置又は共通記録・消去可能位置にスライド移動させるときのみ中立位置以外の位置に位置するが、操作者が操作を終了して共通操作部４０ａより手を離すと直ちに中立位置に戻る。
【００３９】
次に、上記ディスクカートリッジ１Ｂの誤消去防止切換機構１０Ｂの作用を説明する。図１０（Ａ），（Ｂ）の両面共に記録・消去可能位置にあって、操作者が共通操作部４０ａを例えば指で図１０（Ａ），（Ｂ）の矢印Ｎ方向に押圧すると、表面側開閉部材３０と裏面側開閉部材３１が共にスライドして各孔３４，３５が検出孔１２，１１の位置に一致する記録・消去禁止位置（図１１（Ａ）、（Ｂ）の位置）に移動する。そして、操作者が共通操作部４０ａより指を離すと、捩じりコイルバネ４４のバネ復帰力によって共通開閉部材４０が中立位置に戻る（図１１（Ｃ），（Ｄ）の位置）。反対に、図１１（Ｃ），（Ｄ）の記録・消去禁止位置にあって、操作者が共通操作部４０ａを共に例えば指で図１１（Ｃ），（Ｄ）の矢印Ｍ方向に押圧すると、表面側開閉部材３０と裏面側開閉部材３１が共にスライドして各検出孔１２，１１を塞ぐ記録・消去可能位置（図１０（Ｃ），（Ｄ）の位置）に移動する。そして、操作者が共通操作部４０ａより指を離すと、捩じりコイルバネ４３のバネ復帰力によって共通開閉部材４０が中立位置に戻る（図１０（Ａ），（Ｂ）の位置）。
【００４０】
又、図１０（Ａ），（Ｂ）の両面共に記録・消去可能位置にあって、操作者が裏面側開閉部材３１の操作部３１ｄを例えば指で図１０（Ａ），（Ｂ）の矢印Ｎ方向に押圧すると、裏面側開閉部材３１のみがスライドして孔３５が検出孔１１の位置に一致する記録・消去禁止位置に移動し、図１２（Ａ），（Ｂ）に示すように、ディスクＡ面で記録・消去可能、ディスクＢ面で記録・消去禁止位置となる。図１０（Ａ），（Ｂ）の両面共に記録・消去可能位置にあって、操作者が表面側開閉部材３０の操作部３０ｄを例えば指で図１０（Ａ），（Ｂ）の矢印Ｎ方向に押圧すると、表面側開閉部材３０のみがスライドして孔３４が検出孔１２の位置に一致する記録・消去禁止位置に移動し、図示しないが、ディスクＡ面で記録・消去禁止、ディスクＢ面で記録・消去可能位置となる。
【００４１】
又、図１１（Ｃ），（Ｄ）の両面共に記録・消去禁止位置にあって、操作者が裏面側開閉部材３１の操作部３１ｄを例えば指で図１１（Ｃ），（Ｄ）の矢印Ｍ方向に押圧すると、裏面側開閉部材３１のみがスライドして孔３５が検出孔１１の位置に一致しない記録・消去可能位置に移動し、図示しないが、ディスクＡ面で記録・消去禁止、ディスクＢ面で記録・消去可能位置となる。図１１（Ｃ），（Ｄ）の両面共に記録・消去禁止位置にあって、操作者が表面側開閉部材３０の操作部３０ｄを例えば指で図１１（Ｃ），（Ｄ）の矢印Ｍ方向に押圧すると、表面側開閉部材３０のみがスライドして孔３４が検出孔１２の位置に一致しない記録・消去可能位置に移動し、図１２（Ａ），（Ｂ）に示すように、ディスクＡ面で記録・消去可能、ディスクＢ面で記録・消去禁止位置となる。
【００４２】
以上より、共通開閉部材４０の共通操作部４０ａを操作することで表面側開閉部材３０及び裏面側開閉部材３１が共に記録・消去禁止位置又は記録・消去可能位置になるため、両面を同じ記録・消去禁止状態又は記録・消去可能状態に一操作で同時に切り換え操作でき、又、共通開閉部材４０の中立位置では、表面側開閉部材３０及び裏面側開閉部材３１の各操作部３０ｄ，３１ｄを操作することで別々に記録・消去禁止位置と記録・消去可能位置間を移動できるため、片面ずつ別々に記録・消去禁止状態又は記録・消去可能状態に切り換え操作できる。従って、請求項１の発明と同様に４つの要求全てに対応できる。
【００４３】
図１３〜図１５は本発明の第４実施形態を示し、図１３は共通開閉部材と表面側開閉部材及び裏面側開閉部材との拡大斜視図、図１４（Ａ）は共通開閉部材が中立位置で、表面側開閉部材及び裏面側開閉部材が記録・消去可能位置であるディスクカートリッジの横断面図、図１４（Ｂ）は共通開閉部材が中立位置で、表面側開閉部材及び裏面側開閉部材が記録・消去可能位置であるディスクカートリッジの縦断面図、図１５（Ａ）は共通開閉部材が共通記録・消去禁止位置であるディスクカートリッジの横断面図、図１５（Ｂ）は共通開閉部材が共通記録・消去禁止位置であるディスクカートリッジの縦断面図、図１５（Ｃ）は共通開閉部材が中立位置で、表面側開閉部材及び裏面側開閉部材が記録・消去禁止位置であるディスクカートリッジの横断面図、図１５（Ｄ）は共通開閉部材が中立位置で、表面側開閉部材及び裏面側開閉部材が記録・消去禁止位置であるディスクカートリッジの縦断面図である。
【００４４】
図１３〜図１５において、この第４実施形態のディスクカートリッジ１Ｃと第３実施形態のディスクカートリッジ１Ｂとを比較して同一構成箇所については図面に同一符号を付してその説明を省略し、異なる構成箇所のみを説明する。
【００４５】
即ち、誤消去防止切換機構１０Ｃの共通開閉部材４６は、中立位置（図１４（Ａ），（Ｂ）の位置、図１５（Ｃ），（Ｄ）の位置）と記録・消去禁止位置（図１５（Ａ），（Ｂ）の位置）との間でのみスライド移動するように構成されている。又、捩じりコイルバネ４４は、共通開閉部材４６を記録・消去禁止位置から中立位置に戻すときのみ必要であるため、一方にのみ設けられている。又、共通開閉部材４６は、第３実施形態の共通開閉部材４０を一部変形したものであり、４０ａ，４０ｂ，４０ｃ，４０ｅと対応して４６ａ，４６ｂ，４６ｃ，４６ｅが同様の形状で形成されているものの、共通開閉部材４６によって表面側開閉部材３０及び裏面側開閉部材３１を強制的に記録・消去可能位置に位置させないため、共通開閉部材４６の一方の内押圧部（第３実施形態の４０ｄに相当）が削除されている。但し、共通開閉部材４６の外押圧部４０ｃは、捩じりコイルバネ４４のバネ押圧部として残されている。
【００４６】
次に、上記ディスクカートリッジ１Ｃの誤消去防止切換機構１０Ｃの作用を説明する。図１４（Ａ），（Ｂ）の両面共に記録・消去可能位置にあって、操作者が共通開閉部材４６の共通操作部４６ａを例えば指で図１４（Ａ），（Ｂ）のＮ矢印方向に押圧すると、表面側開閉部材３０と裏面側開閉部材３１が共にスライドして各孔３４，３５が検出孔１２，１１の位置に一致する記録・消去禁止位置（図１５（Ａ），（Ｂ）の位置）に移動する。そして、操作者が共通操作部４６ａより指を離すと、捩じりコイルバネ４４のバネ復帰力によって共通開閉部材４６が中立位置に戻る（図１５（Ｃ），（Ｄ）の位置）。但し、この反対に、図１５（Ｃ），（Ｄ）の両面共に記録・消去禁止位置にあって、共通開閉部材４６の共通操作部４６ａを操作して一操作で両面共に記録・消去可能位置に同時に切り換え操作することはできない。
【００４７】
又、図１４（Ａ），（Ｂ）の両面共に記録・消去可能位置にあって、操作者が裏面側開閉部材３１の操作部３１ｄを例えば指で図１４（Ａ），（Ｂ）の矢印Ｎ方向に押圧すると、裏面側開閉部材３１のみがスライドして孔３５が検出孔１１の位置に一致する記録・消去禁止位置に移動し、図示しないが、ディスクＡ面で記録・消去可能、ディスクＢ面で記録・消去禁止位置となる。図１４（Ａ），（Ｂ）の両面共に記録・消去可能位置にあって、操作者が表面側開閉部材３０の操作部３０ｄを例えば指で図１４（Ａ），（Ｂ）の矢印Ｎ方向に押圧すると、表面側開閉部材３０のみがスライドして孔３４が検出孔１２の位置に一致する記録・消去禁止位置に移動し、図示しないが、ディスクＡ面で記録・消去禁止、ディスクＢ面で記録・消去可能位置となる。
【００４８】
又、図１５（Ｃ），（Ｄ）の両面共に記録・消去禁止位置にあって、操作者が裏面側開閉部材３１の操作部３１ｄを例えば指で図１５（Ｃ），（Ｄ）の矢印Ｍ方向に押圧すると、裏面側開閉部材３１のみがスライドして孔３５が検出孔１１の位置に一致しない記録・消去可能位置に移動し、図示しないが、ディスクＡ面で記録・消去禁止、ディスクＢ面で記録・消去可能位置となる。図１５（Ｃ），（Ｄ）の両面共に記録・消去禁止位置にあって、操作者が表面側開閉部材３０の操作部３０ｄを例えば指で図１５（Ｃ），（Ｄ）の矢印Ｍ方向に押圧すると、表面側開閉部材３０のみがスライドして孔３４が検出孔１２の位置に一致しない記録・消去可能位置に移動し、図示しないが、ディスクＡ面で記録・消去可能、ディスクＢ面で記録・消去禁止位置となる。
【００４９】
以上より、共通開閉部材４６の共通操作部４６ａを操作することで表面側開閉部材３０及び裏面側開閉部材３１が共に記録・消去禁止位置になるため、両面を同じ記録・消去禁止状態に一操作で同時に切り換え操作でき、又、共通開閉部材４６の中立位置では、表面側開閉部材３０及び裏面側開閉部材３１の各操作部３０ｄ，３１ｄを操作することで別々に記録・消去禁止位置と記録・消去可能位置間を移動できるため、片面ずつ別々に記録・消去禁止状態又は記録・消去可能状態に切り換え操作できる。従って、請求項１の発明と同様に４つの要求全てに対応できる。その上、共通開閉部材４６の共通操作部４６ａを操作することで表面側開閉部材３０及び裏面側開閉部材３１を共に記録・消去可能位置にすることができないため、両面を同じ記録・消去可能状態に一操作で同時に切り換え操作できず、記録済みの情報を消去したり書き換えたりするときにはより安全性を期することができる。
【００５０】
尚、前記第１及び第２実施形態によれば、表面側開閉部材１３と裏面側開閉部材１４との各閉塞部１３ａ，１４ａの貫通孔１７，１８は貫通した孔として構成したが、検出孔１２，１１と反対側が閉塞された孔として構成しても良く、又、その部分を切欠部として構成しても良く、又、その部分に部材が存在しないように閉塞部１３ａ，１４ａの形状を構成しても良い。又、第３，第４実施形態では、検出孔と反対側が閉塞された孔３４，３５として構成したが、貫通孔や切欠部等として構成しても良い。
【００５１】
また、前記各実施形態によれば、操作用開口部２１，２１Ａ，２１Ｂ，２１Ｃは、ケース３の背面３ｄの左右中央位置に配置したが中央より左右にずれた位置に配置しても良い。
【００５２】
尚、前記した各実施形態では、ディスク２の表面（Ａ面）を下にしてケース３に収納する方式について記述したが、ディスク２の表面（Ａ面）を上にしてケース３に収納する方式も可能である。
【００５３】
【発明の効果】
以上説明したように、請求項１の発明によれば、両面に記録できるディスクが内部に回転自在に収納され、表裏両面から前記ディスクへの記録又は消去が可能なケースと、このケースの表面と裏面のそれぞれに開口する検出孔を有し、この両面の検出孔をそれぞれ開閉するべく表面側開閉部材及び裏面側開閉部材を記録・消去可能位置と記録・消去禁止位置との間で移動自在に設けた誤消去防止切換機構とを備えたディスクカートリッジにおいて、前記表面側開閉部材及び前記裏面側開閉部材はそれぞれ操作部を有し、この双方の操作部は上下に並んだ位置で前記ケースの背面に開口された操作用開口部より外部に共に露出され、前記双方の操作部における記録・消去可能位置と記録・消去禁止位置とになる操作位置が左右方向で同じ位置に設定されたので、双方の操作部を同時に操作できるため、両面を同じ記録・消去禁止状態又は記録・消去可能状態に一操作で同時に切り換え操作でき、又、各操作部を別々に操作できるため、片面ずつ別々に記録・消去禁止状態又は記録・消去可能状態に切り換え操作できる。従って、第１としてディスク両面に跨がって長時間（大量）の情報を記録した場合には、両面の検出孔を一操作で同時に記録・消去禁止に切り換えできること、第２としてディスク両面に同時記録するシステムに使用する場合には、両面の検出孔を一操作で同時に記録・消去禁止に切り換えできること、第３として安全を期するため、記録・消去禁止に切り換えるときには、両面の検出孔を一操作で同時に切り換え、記録済みの情報を消去したり書き換えたりするときには、記録・消去可能状態に片面ずつ確かめながら切り換えできること、第４として、片面ずつ別々に記録・消去禁止状態と記録・消去可能状態とに切り換えできることの４つの要求全てに対応できる。
【００５４】
請求項２の発明によれば、前記請求項１に記載のディスクカートリッジにおいて、前記操作用開口部は、前記ケースの表面と裏面にまで延びて開口され、この表面と裏面の各開口箇所にまで前記各操作部の一端側が延設されているので、請求項１の発明の効果に加え、ディスクカートリッジの厚さが薄く設定されても、操作するのに十分な幅の操作部を構成できる。又、ケースの表面側から一方の操作部を、ケースの裏面側から他方の操作部をそれぞれ操作できるため、各操作部を別々に操作する場合の操作が確実になり、又、操作自由度が広がる。
【００５５】
請求項３の発明によれば、表裏両面からディスクへの記録又は消去が可能なケースと、このケースの表面と裏面のそれぞれに開口する検出孔を有し、この両面の検出孔をそれぞれ開閉するべく表面側開閉部材及び裏面側開閉部材を記録・消去可能位置と記録・消去禁止位置との間で移動自在に設けた誤消去防止切換機構とを備えたディスクカートリッジにおいて、前記表面側開閉部材及び前記裏面側開閉部材はそれぞれ操作部を有し、この双方の操作部は前記ケースの裏面及び表面にそれぞれ開口された操作用開口部より外部に共に露出されると共に、前記誤消去防止切換機構には前記ケースの背面に開口された操作用開口部より外部に露出する共通操作部を有する共通開閉部材を設け、この共通開閉部材は中立位置を中間として一方側の共通記録・消去可能位置と他方側の共通記録・消去禁止位置との間で移動自在に設けられ、前記共通開閉部材の中立位置では前記表面側開閉部材及び前記裏面側開閉部材の記録・消去可能位置と記録・消去禁止位置間の移動をそれぞれ許容し、前記共通開閉部材の中立位置から共通記録・消去可能位置への移動によって前記表面側開閉部材及び前記裏面側開閉部材を共に記録・消去可能位置に位置させ、前記共通開閉部材の中立位置から共通記録・消去禁止位置への移動によって前記表面側開閉部材及び前記裏面側開閉部材を共に記録・消去禁止位置に位置させるよう構成したので、共通開閉部材の共通操作部を操作することで表面側開閉部材及び裏面側開閉部材が共に記録・消去禁止位置又は記録・消去可能位置になるため、両面を同じ記録・消去禁止状態又は記録・消去可能状態に一操作で同時に切り換え操作でき、又、共通開閉部材の中立位置では、表面側開閉部材及び裏面側開閉部材の各操作部を操作することで別々に記録・消去禁止位置と記録・消去可能位置間を移動できるため、片面ずつ別々に記録・消去禁止状態又は記録・消去可能状態に切り換え操作できる。従って、請求項１の発明と同様に４つの要求全てに対応できる。
【００５６】
請求項４の発明によれば、表裏両面からディスクへの記録又は消去が可能なケースと、このケースの表面と裏面のそれぞれに開口する検出孔を有し、この両面の検出孔をそれぞれ開閉するべく表面側開閉部材及び裏面側開閉部材を記録・消去可能位置と記録・消去禁止位置との間で移動自在に設けた誤消去防止切換機構とを備えたディスクカートリッジにおいて、前記表面側開閉部材及び前記裏面側開閉部材はそれぞれ操作部を有し、この双方の操作部は前記ケースの表面及び裏面にそれぞれ開口された操作用開口部より外部に共に露出されると共に、前記誤消去防止切換機構には前記ケースの背面に開口された操作用開口部より外部に露出する共通操作部を有する共通開閉部材を設け、この共通開閉部材は中立位置と共通記録・消去禁止位置との間でのみ移動自在に設けられ、前記共通開閉部材の中立位置では前記表面側開閉部材及び前記裏面側開閉部材の記録・消去可能位置と記録・消去禁止位置間の移動をそれぞれ許容し、前記共通開閉部材の中立位置から共通記録・消去禁止位置への移動によって前記表面側開閉部材及び前記裏面側開閉部材を共に記録・消去禁止位置に位置させるよう構成したので、共通開閉部材の共通操作部を操作することで表面側開閉部材及び裏面側開閉部材が共に記録・消去禁止位置になるため、両面を同じ記録・消去禁止状態に一操作で同時に切り換え操作でき、又、共通開閉部材の中立位置では、表面側開閉部材及び裏面側開閉部材の各操作部を操作することで別々に記録・消去禁止位置と記録・消去可能位置間を移動できるため、片面ずつ別々に記録・消去禁止状態又は記録・消去可能状態に切り換え操作できる。従って、請求項１の発明と同様に４つの要求全てに対応できる。その上、共通開閉部材の共通操作部を操作することで表面側開閉部材及び前記裏面側開閉部材を共に記録・消去可能位置にすることができないため、両面を同じ記録・消去可能状態に一操作で同時に切り換え操作できず、記録済みの情報を消去したり書き換えたりするときにはより安全性を期することができる。
【図面の簡単な説明】
【図１】本発明の第１実施形態を示し、ディスクカートリッジの斜視図である。
【図２】本発明の第１実施形態を示し、（Ａ）は誤消去防止切換機構が記録・消去可能位置であるディスクカートリッジの横断面図、（Ｂ）は誤消去防止切換機構が記録・消去可能位置であるディスクカートリッジの縦断面図、（Ｃ）は同誤消去防止切換機構を構成する表面側開閉部材と裏面側開閉部材の拡大斜視図である。
【図３】本発明の第１実施形態を示し、（Ａ）は誤消去防止切換機構が記録・消去禁止位置であるディスクカートリッジの横断面図、（Ｂ）は誤消去防止切換機構が記録・消去禁止位置であるディスクカートリッジの縦断面図である。
【図４】本発明の第１実施形態を示し、（Ａ）は誤消去防止切換機構がディスクＡ面で記録・消去可能、ディスクＢ面で記録・消去禁止位置であるディスクカートリッジの横断面図、（Ｂ）は誤消去防止切換機構がディスクＡ面で記録・消去可能、ディスクＢ面で記録・消去禁止位置であるディスクカートリッジの縦断面図である。
【図５】本発明の第２実施形態を示し、ディスクカートリッジの斜視図である。
【図６】本発明の第２実施形態を示し、（Ａ）は誤消去防止切換機構が記録・消去可能位置であるディスクカートリッジの横断面図、（Ｂ）は誤消去防止切換機構が記録・消去可能位置であるディスクカートリッジの縦断面図である。
【図７】本発明の第３実施形態を示し、ディスクカートリッジの斜視図である。
【図８】本発明の第３実施形態を示し、（Ａ）は誤消去防止切換機構が両面共に記録・消去可能位置であるディスクカートリッジの横断面図、（Ｂ）は誤消去防止切換機構が両面共に記録・消去可能位置であるディスクカートリッジの縦断面図である。
【図９】本発明の第３実施形態を示し、共通開閉部材と表面側開閉部材及び裏面側開閉部材との拡大斜視図である。
【図１０】本発明の第３実施形態を示し、（Ａ）は共通開閉部材が中立位置で、表面側開閉部材及び裏面側開閉部材が記録・消去可能位置であるディスクカートリッジの横断面図、（Ｂ）は共通開閉部材が中立位置で、表面側開閉部材及び裏面側開閉部材が記録・消去可能位置であるディスクカートリッジの縦断面図、（Ｃ）は共通開閉部材が共通記録・消去可能位置であるディスクカートリッジの横断面図、（Ｄ）は共通開閉部材が共通記録・消去可能位置であるディスクカートリッジの縦断面図である。
【図１１】本発明の第３実施形態を示し、（Ａ）は共通開閉部材が共通記録・消去禁止位置であるディスクカートリッジの横断面図、（Ｂ）は共通開閉部材が共通記録・消去禁止位置であるディスクカートリッジの縦断面図、（Ｃ）は共通開閉部材が中立位置で、表面側開閉部材及び裏面側開閉部材が記録・消去禁止位置であるディスクカートリッジの横断面図、（Ｄ）は共通開閉部材が中立位置で、表面側開閉部材及び裏面側開閉部材が記録・消去禁止位置であるディスクカートリッジの縦断面図である。
【図１２】本発明の第３実施形態を示し、（Ａ）は共通開閉部材が中立位置で、表面側開閉部材が記録・消去可能位置（ディスクＡ面で記録・消去可能）、裏面側開閉部材が記録・消去禁止位置（ディスクＢ面で記録・消去禁止）であるディスクカートリッジの横断面図、（Ｂ）は共通開閉部材が中立位置で、表面側開閉部材が記録・消去可能位置（ディスクＡ面で記録・消去可能）、裏面側開閉部材が記録・消去禁止位置（ディスクＢ面で記録・消去禁止）であるディスクカートリッジの縦断面図である。
【図１３】本発明の第４実施形態を示し、共通開閉部材と表面側開閉部材及び裏面側開閉部材との拡大斜視図である。
【図１４】本発明の第４実施形態を示し、（Ａ）は共通開閉部材が中立位置で、表面側開閉部材及び裏面側開閉部材が記録・消去可能位置であるディスクカートリッジの横断面図、（Ｂ）は共通開閉部材が中立位置で、表面側開閉部材及び裏面側開閉部材が記録・消去可能位置であるディスクカートリッジの縦断面図である。
【図１５】本発明の第４実施形態を示し、（Ａ）は共通開閉部材が共通記録・消去禁止位置であるディスクカートリッジの横断面図、（Ｂ）は共通開閉部材が共通記録・消去禁止位置であるディスクカートリッジの縦断面図、（Ｃ）は共通開閉部材が中立位置で、表面側開閉部材及び裏面側開閉部材が記録・消去禁止位置であるディスクカートリッジの横断面図、（Ｄ）は共通開閉部材が中立位置で、表面側開閉部材及び裏面側開閉部材が記録・消去禁止位置であるディスクカートリッジの縦断面図である。
【図１６】従来例（第２従来例）のディスクカートリッジの斜視図である。
【図１７】従来例（第２従来例）のディスクカートリッジの誤消去防止切換機構を示す一部分解斜視図である。
【符号の説明】
１，１Ａ，１Ｂ，１Ｃ  ディスクカートリッジ
２  ディスク
３  ケース
３ａ  表面
３ｂ  裏面
３ｄ  背面
１０，１０Ａ，１０Ｂ，１０Ｃ  誤消去防止切換機構
１１，１２  検出孔
１３，３０  表面側開閉部材
１３ｄ，３０ｄ  操作部
１４，３１  裏面側開閉部材
１４ｄ，３１ｄ  操作部
２１，２１Ａ，３８，３９，４１  操作用開口部
４０，４６  共通開閉部材
４０ａ，４６ａ  共通操作部
【図１】
0004359988.tif 000002
【図２】
0004359988.tif 000003
【図３】
0004359988.tif 000004
【図４】
0004359988.tif 000005
【図５】
0004359988.tif 000006
【図６】
0004359988.tif 000007
【図７】
0004359988.tif 000008
【図８】
0004359988.tif 000009
【図９】
0004359988.tif 000010
【図１０】
0004359988.tif 000011
【図１１】
0004359988.tif 000012
【図１２】
0004359988.tif 000013
【図１３】
0004359988.tif 000014
【図１４】
0004359988.tif 000015
【図１５】
0004359988.tif 000016
【図１６】
0004359988.tif 000017
【図１７】
0004359988.tif 000018